(57)【要約】  【課題】本発明は、ＲＦＩＤラベルシート及びＲＦＩＤラベルに関し、リーダライタに対する位置関係の制約がなく、また、物品への貼付作業性を良好とする物品表面に対してＲＦＩＤインレットを離隔させる新たな形態とさせることを目的とする。  【解決手段】ＲＦＩＤラベルート１１を、ＲＦＩＤインレット１２を備えるラベル上紙１３が剥離性接着剤層１５を介して剥離自在に中間部材１４が接着されるものであり、当該ラベル上紙１３に、所定位置に中間部材１４より一部剥離自在な係合片受け部１３Ｄを形成し、ＲＦＩＤインレット１２を含む領域と係合片１３Ｃとを一体とし、当該係合片受け部側に内部空間を設けて折り返すことで当該係合片１３Ｃを当該係合片受け部１３Ｄに係合させるべく当該中間部材１４より一部剥離自在な折返し部１３Ｂを形成する構成とする。  【選択図】  図１
2010026680.tif 000002
【特許請求の範囲】
【請求項１】
物品に貼付されることで当該物品に関する情報について非接触でリーダライタと通信可能とされるＲＦＩＤラベルシートであって、
基材上にアンテナ部及びＩＣチップで構成されるＩＣモジュールが形成されるＲＦＩＤインレットを備えるラベル上紙と、
前記ラベル上紙を、剥離性接着剤層を介して剥離自在に接着させる中間部材と、
前記ラベル上紙の裏面側の少なくとも外側周辺に設けられる粘着剤層と、
を少なくとも備え、
前記ラベル上紙には、前記基材に、所定位置に前記中間部材より前記剥離性接着剤層で一部剥離自在な係合片受け部が形成されると共に、前記ＲＦＩＤインレットを含む領域と係合片とを一体とし、当該係合片受け部側に内部空間を設けて折り返すことで当該係合片を一部剥離させた当該係合片受け部に係合させるべく前記中間部材より当該剥離性接着剤層で一部剥離自在な折返し部が形成されることを特徴とするＲＦＩＤラベルシート。
【請求項２】
請求項１のＲＦＩＤラベルシートより作製されるＲＦＩＤラベルであって、
前記ラベル上紙に形成された折返し部が、前記中間部材より前記剥離性接着剤層で剥離されて前記係合片受け部側に内部空間を設けて折り返えされて前記係合片が前記一部剥離させた係合片受け部に係合されていることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルシート及びＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤を塗布されることでＲＦＩＤラベルとされる。このようなＲＦＩＤラベルは、物品に貼り付けられ、リーダライタとの非接触の通信により物品管理等に利用されるが、貼り付けられる物品の表面が金属等の場合の通信障害を回避させる必要がある。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で、又はアンテナの一部を折り立てることや（特許文献１，２）、ＲＦＩＤラベルシートを中空四角柱に折り込んで立設させること（特許文献３）が提案されている。
【０００４】
また、ＲＦＩＤインレットの部分を物品の金属表面から離隔するために、ＲＦＩＤインレットが形成されたラベル基体の一部を、当該ＲＦＩＤインレットを挟み込むように折り込んで台紙に仮着しておき、当該ラベル基体を台紙より分離し、当該被着体上に折り部分を立設させて貼付することによりＲＦＩＤインレットを離隔させること（特許文献４）も提案されており、さらに、ＲＦＩＤインレットの部分と物品の金属表面との間に空間領域を形成させるように折り曲げた形状とさせることも提案されている（特許文献５）。
【０００５】
【特許文献１】特開２００７−１２２５４２号公報
【特許文献２】特開２００７−１６４３９９号公報
【特許文献３】特開２００７−１７２３６９号公報
【特許文献４】特開２００７−２７１７０７号公報
【特許文献５】特開２００７−２６４８６８号公報
【発明の開示】
【発明が解決しようとする課題】
【０００６】
しかしながら、特許文献１〜４のように、ＲＦＩＤインレット部分やアンテナの一部を折り立てたり、立設させたりすることや、ＲＦＩＤラベルシートを中空四角柱に折り込んで立設させることは、リーダライタと通信する状態では少なくともアンテナが物品表面より空間方向に角度を有することとなる。すなわち、通信周波数がマイクロ周波数帯（例えば数百〜２０４５ＧＨｚ）では指向性が狭くなり、ＲＦＩＤインレット又はアンテナに対してリーダライタとの位置関係が限られて制約されるという問題がある。
【０００７】
その点、特許文献５は、特許文献１〜４と異なり、ＲＦＩＤインレットが平面状態又は略平面状態で物品に貼付されてリーダライタとの位置関係で制約を受けることはないが、物品にＲＦＩＤラベルを貼付する際にＲＦＩＤインレット部分を立体的に浮き立たせるようにしなければならず、貼付作業性が好ましくないという問題がある。
【０００８】
そこで、本発明は上記課題に鑑みなされたもので、リーダライタに対する位置関係の制約がなく、また、物品への貼付作業性を良好とする物品表面に対してＲＦＩＤインレットを離隔させる新たな形態とさせるＲＦＩＤラベルを提供することを目的とする。
【課題を解決するための手段】
【０００９】
上記課題を解決するために、請求項１の発明では、物品に貼付されることで当該物品に関する情報について非接触でリーダライタと通信可能とされるＲＦＩＤラベルシートであって、基材上にアンテナ部及びＩＣチップで構成されるＩＣモジュールが形成されるＲＦＩＤインレットを備えるラベル上紙と、前記ラベル上紙を、剥離性接着剤層を介して剥離自在に接着させる中間部材と、前記ラベル上紙の裏面側の少なくとも外側周辺に設けられる粘着剤層と、を少なくとも備え、前記ラベル上紙には、前記基材に、所定位置に前記中間部材より前記剥離性接着剤層で一部剥離自在な係合片受け部が形成されると共に、前記ＲＦＩＤインレットを含む領域と係合片とを一体とし、当該係合片受け部側に内部空間を設けて折り返すことで当該係合片を一部剥離させた当該係合片受け部に係合させるべく前記中間部材より当該剥離性接着剤層で一部剥離自在な折返し部が形成される構成とする。
【００１０】
請求項２の発明では、請求項１のＲＦＩＤラベルシートより作製されるＲＦＩＤラベルであって、前記ラベル上紙に形成された折返し部が、前記中間部材より前記剥離性接着剤層で剥離されて前記係合片受け部側に内部空間を設けて折り返えされて前記係合片が前記一部剥離させた係合片受け部に係合されている構成とする。
【発明の効果】
【００１１】
請求項１の発明によれば、ＲＦＩＤインレットを備えるラベル上紙に剥離性接着剤層を介して剥離自在に中間部材が接着されるものであり、当該ラベル上紙に、所定位置に前記中間部材より一部剥離自在な係合片受け部を形成し、ＲＦＩＤインレットを含む領域と係合片とを一体とし、当該係合片受け部側に内部空間を設けて折り返すことで当該係合片を一部剥離させた当該係合片受け部に係合させるべく当該中間部材より一部剥離自在な折返し部を形成する構成とすることにより、物品への貼付時にはＲＦＩＤインレットを平面状態又は略平面状態で配置されることからリーダライタに対する位置関係の制約がなく、また、物品に貼付させる以前に折返し部を係合片受け部側に折り返して係合片を係合片受け部に係合させるだけでよいことから物品への貼付作業性の良好とする物品表面に対してＲＦＩＤインレットを離隔させる新たな形態とさせることができるものである。
【００１２】
請求項２の発明によれば、請求項１のＲＦＩＤラベルシートより、前記ラベル上紙に形成された折返し部が、中間部材より剥離されて前記係合片受け部側に内部空間を設けて折り返えされて係合片が一部剥離させた係合片受け部に係合させたＲＦＩＤラベルとすることにより、上記同様に、リーダライタに対する位置関係の制約がなく、また、物品への貼付作業性の良好とする物品表面に対してＲＦＩＤインレットを離隔させる新たな形態とさせることができるものである。
【発明を実施するための最良の形態】
【００１３】
以下、本発明の最良の実施形態を図により説明する。本発明では、物品への貼付以前の形態がＲＦＩＤラベルシートであり、物品に貼付させるための形態がＲＦＩＤラベルである。
【００１４】
図１に、本発明に係るＲＦＩＤラベルシートの第１実施形態の構成図を示す。図１（Ａ）、（Ｂ）において、ＲＦＩＤラベルート１１は、ラベル上紙１３がその基材上にＲＦＩＤインレット１２を備える。ＲＦＩＤインレット１２は、アンテナ部及びＩＣチップで構成されるＩＣモジュールが形成されたもので従前のものと同様のものである。例えば、ＲＦＩＤインレット１２を、基材にアンテナ部を導電性インキで印刷により形成し、当該アンテナ部の端部にＩＣチップを実装させたものである。なお、ラベル上紙１３は材質として紙類の他にフィルム材を含む概念である。
【００１５】
当該ラベル上紙１３の裏面には、剥離性接着剤層１５を介して中間部材１４が設けられる。この剥離性接着剤層１５を形成する接着剤としては、例えば従前より知られている剥離自在な感圧接着剤が適用でき、例えば天然ラテックスなどの強接着剤に微小粒子のシリカ等が充填されたものである。
【００１６】
ここで、上記ラベル上紙１３には、基材上の所定位置に、例えば１辺を基材と一体とし、他辺を切取線（スリット）１９Ｂを形成して係合片受け部１３Ｄが形成される。この係合片受け部１３Ｄは中間部材１４より剥離性接着剤層１５でめくり剥がすことでより一部剥離される。
【００１７】
また、上記ラベル上紙１３には、基材上の上記係合片受け部側に折り線２０が形成され、ＲＦＩＤインレット１２を含む領域と係合片１３Ｃとを一体とするように切取線（スリット）１９Ａを形成することで折返し部１３Ｂが形成される。この場合、折り線２０から係合片受け部１３Ｄにおける切取線１９Ｂ（係合片受け部１３Ｄ）の付け根部分までの距離をＬ０とし、折り線２０から係合片１３Ｃの付け根部分までの距離をＬ１とすると、Ｌ０＜Ｌ１の関係に合致する位置に当該折り線２０が配置される。
【００１８】
すなわち、当該折り線２０を目安に、係合片１３Ｃを中間部材１４より剥離性接着剤層１５で剥離して係合片受け部側に折り返して係合片１３Ｃを係合片受け部１３Ｄに係合させることにより、当該折返し部１３Ｂで内部空間が形成されることとなるものである。
【００１９】
そして、上記中間部材１４の裏面の全面（少なくとも外周面だけでもよい）には粘着剤層１６を介して剥離紙１８が設けられるものである。当該中間部材１４は、例えばラベル上紙１３と同様の材質のものであり、当該剥離紙１８は剥離剤が塗布された上質紙若しくはフィルムであって一般的なものである。なお、切取線（スリット）１９Ａ，１９Ｂは、例えばレーザ光や押し型等によりラベル上紙１３のみを貫通させて形成され、折り線２０はレーザ光によるハーフカット（ミシン線でもよい）等で形成される。
【００２０】
そこで、図２に、図１のＲＦＩＤラベルシートを物品に貼付させる形態のＲＦＩＤラベルの説明図を示す。図２（Ａ）において、図１に示すＲＦＩＤラベルシート１１の折返し部１３Ｂの係合片１３Ｃから、切取線（スリット）１９Ａによって剥離性接着剤層１５で中間部材１４より引き剥がし、折り線２０で折るように係合片受け部１３Ｄ側に折り返す。
【００２１】
そして、図２（Ｂ）、（Ｃ）に示すように、係合片受け部１３Ｄを切取線（スリット）１９Ｂによって剥離性接着剤層１５で中間部材１４より引き剥がし、当該引き剥がした係合片受け部１３Ｄと剥離性接着剤層１５との間に折り返した折返し部１３Ｂの係合片１３Ｃを潜り込ませることによって、ＲＦＩＤラベル１１Ａとさせるものである。この場合、折返し部１３Ｂを折り返した部分では剥離性接着剤層１５が表出すると共に、折り返した当該折返し部１３Ｂの裏面が剥離性接着剤層１５を残した状態で表出されるものである。
【００２２】
上記のようなＲＦＩＤラベル１１Ａは、その後に折り曲げ等を行わずに、単に剥離紙１８を剥離させて粘着剤層１６を表出させ、図２（Ｄ）に示すように、金属表面の物品２１上に貼付させるものである。
【００２３】
このように、ＲＦＩＤインレット１２を平面状態又は略平面状態で配置されることからリーダライタに対する位置関係の制約がなく、また、物品２１に貼付させる以前に折返し部１３Ｂを係合片受け部側に折り返して係合片１３Ｃを係合片受け部１３Ｄに係合させるだけでよいことから物品２１への貼付作業性の良好とする物品表面に対してＲＦＩＤインレット１２を離隔させる新たな形態とさせることができるものである。
【００２４】
次に、図３に、本発明に係るＲＦＩＤラベルシート及びＲＦＩＤラベルの第２実施形態の構成図を示す。図３（Ａ）において、ＲＦＩＤラベルシート１１は、上述のＲＦＩＤインレット１２が設けられたラベル上紙１３上に保護部材３１を取着したもので、他の構成は図１と同様である。
【００２５】
この保護部材３１は、ＲＦＩＤラベルシート１１段階でのＲＦＩＤインレット１２を保護するためのもので、例えばラベル上紙１３と同質の部材で形成される。すなわち、当該保護部材３１にはラベル上紙１３と一体的に切取線１９Ａで折返し部１３Ｂ（係合片１３Ｃ）の一部として構成されると共に、切取線１９Ｂで係合片受け部１３Ｄの一部として構成されるものである。
【００２６】
そして、図３（Ｂ）に示すように、上記ＲＦＩＤラベルシート１１の保護部材３１の該当部分と一体となった折返し部１３Ｂの係合片１３Ｃから、切取線（スリット）１９Ａによって剥離性接着剤層１５で中間部材１４より引き剥がし、折り線２０で折るように係合片受け部１３Ｄ側に折り返し、一部引き剥がされた保護部材３１の該当部分と一体の係合片受け部１３Ｄと剥離性接着剤層１５との間に折り返した折返し部１３Ｂの係合片１３Ｃを潜り込ませることによって、ＲＦＩＤラベル１１Ａとさせるものである。
【産業上の利用可能性】
【００２７】
本発明のＲＦＩＤラベルシート及びＲＦＩＤラベルは、物品管理等のために物品情報が担持されるラベルの製造、使用に利用可能である。
【図面の簡単な説明】
【００２８】
【図１】本発明に係るＲＦＩＤラベルシートの第１実施形態の構成図である。
【図２】図１のＲＦＩＤラベルシートを物品に貼付させる形態のＲＦＩＤラベルの説明図である。
【図３】本発明に係るＲＦＩＤラベルシート及びＲＦＩＤラベルの第２実施形態の構成図である。
【符号の説明】
【００２９】
１１            ＲＦＩＤラベル
１１Ａ          ＲＦＩＤラベルシート
１２            ＲＦＩＤインレット
１３            ラベル上紙
１３Ｂ          折返し部
１３Ｃ          係合片
１３Ｄ          係合片受け部
１４            中間部材
１５            剥離可能接着剤層
１６            粘着剤
１８            剥離紙
１９            切取線
２０            折り線
２１            物品
３１            保護部材
【図１】
2010026680.tif 000003
【図２】
2010026680.tif 000004
【図３】
2010026680.tif 000005